(57)【要約】【課題】１又は複数の再生単位楽音を繰り返し再生出力する再生部を用いて、外部状態に応じた多彩な音楽再生を実現すること。【解決手段】楽音再生装置１ａにおいて、１又は複数の再生単位楽音からなる楽音を繰り返し再生出力する再生部１０と、外部状態を示す外部状態信号の入力を受け付ける外部状態信号入力受付部３０と、外部状態信号入力受付部３０により受け付けられる外部状態信号に応じて、再生部１０が上記１又は複数の再生単位楽音それぞれを再生する際の再生長を制御する再生長制御部４０ａと、を含むことを特徴とする。【選択図】図１
2008145759.tif 000002
【特許請求の範囲】
【請求項１】
１又は複数の再生単位楽音からなる楽音を繰り返し再生出力する再生部と、
外部状態を示す外部状態信号の入力を受け付ける外部状態信号入力受付手段と、
前記外部状態信号入力受付手段により受け付けられる外部状態信号に応じて、前記再生部が前記１又は複数の再生単位楽音それぞれを再生する際の再生長を制御する再生長制御手段と、
を含むことを特徴とする楽音再生装置。
【請求項２】
請求項１に記載の楽音再生装置において、
前記再生長制御手段は、前記再生部による再生単位楽音の再生を、前記外部状態信号に応じた再生長で一旦終了させ、次の再生単位楽音の再生を開始させることにより、前記再生部が前記１又は複数の再生単位楽音それぞれを再生する際の再生長を制御する、
ことを特徴とする楽音再生装置。
【請求項３】
請求項１又は２に記載の楽音再生装置において、
前記再生長制御手段は、
前記再生部が前記再生単位楽音の再生を開始又は再開始するタイミングにおいて前記外部状態信号入力受付手段により受け付けられる外部状態信号に応じて再生長を決定する再生長決定手段、
を含み、前記再生長決定手段により決定される再生長に基づき、前記再生部が前記１又は複数の再生単位楽音それぞれを再生する際の再生長を制御する、
ことを特徴とする楽音再生装置。
【請求項４】
複数のトラックを備え、第１のトラックにおいて１の小節からなる第１のフレーズを繰り返し再生出力し、第２のトラックにおいて複数の小節からなる第２のフレーズを繰り返し再生出力する再生部と、
外部状態を示す外部状態信号の入力を受け付ける外部状態信号入力受付手段と、
前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記各小節の再生を開始又は再開始するよう前記再生部を制御する再生長制御手段と、
を含むことを特徴とする楽音再生装置。
【請求項５】
複数のトラックを備え、第１のトラックにおいて１の小節からなる第１のフレーズを繰り返し再生出力し、第２のトラックにおいて複数の小節グループからなる第２のフレーズを繰り返し再生出力する再生部と、
外部状態を示す外部状態信号の入力を受け付ける外部状態信号入力受付手段と、
前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記各小節グループの再生を開始又は再開始するよう前記再生部を制御する再生長制御手段と、
を含むことを特徴とする楽音再生装置。
【請求項６】
複数のトラックを備え、第１のトラックにおいて１の小節からなる第１のフレーズを繰り返し再生出力し、第２のトラックにおいて複数の小節からなる第２のフレーズを繰り返し再生出力する再生部と、
外部状態を示す外部状態信号の入力を受け付ける外部状態信号入力受付手段と、
前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記フレーズの再生を開始又は再開始するよう前記再生部を制御する再生長制御手段と、
を含むことを特徴とする楽音再生装置。
【請求項７】
外部状態を示す外部状態信号の入力を受け付ける外部状態信号入力受付ステップと、
前記外部状態信号入力受付ステップにおいて受け付けられる外部状態信号に応じて、１又は複数の再生単位楽音からなる楽音を繰り返し再生出力する再生部が前記１又は複数の再生単位楽音それぞれを再生する際の再生長を制御する再生長制御ステップと、
を含むことを特徴とする楽音再生方法。
【請求項８】
外部状態を示す外部状態信号の入力を受け付ける外部状態信号入力受付ステップ、及び
前記外部状態信号入力受付ステップにおいて受け付けられる外部状態信号に応じて、１又は複数の再生単位楽音からなる楽音を繰り返し再生出力する再生部が前記１又は複数の再生単位楽音それぞれを再生する際の再生長を制御する再生長制御ステップ、
をコンピュータに実行させるためのプログラム。
【発明の詳細な説明】
【技術分野】
【０００１】
本発明は、楽音再生装置、楽音再生方法、及びプログラムに関する。
【背景技術】
【０００２】
車両走行中に音楽を再生し、エンジン回転数や速度などの車両状態に応じてその再生パラメータ（音量等）を制御する楽音再生装置が知られている。例えば特許文献１には、エンジン回転数に応じて音量、音調、又はテンポを変化させる楽音再生装置が開示されている。
【特許文献１】特開２００３−３０９８９１号公報（請求項２）
【発明の開示】
【発明が解決しようとする課題】
【０００３】
ところで、楽音再生装置には、１又は複数の再生単位楽音を繰り返し再生出力する再生部を備えているものがある。この再生単位楽音の具体的な例としては、例えばリズムボックスによって生成される所定長のリズム音が挙げられる。
【０００４】
このような楽音再生装置では、再生部の出力信号をそのままの状態でスピーカから出力するだけでは単調になりがちであり、例えば車両状態などの外部状態に応じて多彩な楽音再生を実現することが望まれる。
【０００５】
この点、上記特許文献１に記載の技術を用いれば、再生部が出力した信号に、車両状態に応じて、音量、音調、又はテンポの変化を与えることができ、再生部の再生出力に車両状態に応じた一定の変化を持たせることが実現される。
【０００６】
しかしながら、この技術では、再生部が出力した信号を変化させているに過ぎず、再生部の出力信号そのものには何ら変化がないため、多彩な楽音再生の実現のためには限界があり、更なる改善が望まれる。
【０００７】
従って、本発明の課題の一つは、１又は複数の再生単位楽音を繰り返し再生出力する再生部を用いて、外部状態に応じた多彩な音楽再生を実現することのできる楽音再生装置、楽音再生方法、及びプログラムを提供することにある。
【課題を解決するための手段】
【０００８】
上記課題を解決するための本発明にかかる楽音再生装置は、１又は複数の再生単位楽音からなる楽音を繰り返し再生出力する再生部と、外部状態を示す外部状態信号の入力を受け付ける外部状態信号入力受付手段と、前記外部状態信号入力受付手段により受け付けられる外部状態信号に応じて、前記再生部が前記１又は複数の再生単位楽音それぞれを再生する際の再生長を制御する再生長制御手段と、を含むことを特徴とする。
これによれば、再生長制御によって再生部の出力信号そのものが変化するので、再生部を用いて、車両状態などの外部状態に応じた多彩な音楽再生を実現することができる。
【０００９】
また、上記楽音再生装置において、前記再生長制御手段は、前記再生部による再生単位楽音の再生を、前記外部状態信号に応じた再生長で一旦終了させ、次の再生単位楽音の再生を開始させることにより、前記再生部が前記１又は複数の再生単位楽音それぞれを再生する際の再生長を制御する、こととしてもよい。
これによれば、再生部の再生を途中でストップし、次の再生単位楽音から再開させるという簡易な制御により、再生長制御を実現することができる。
【００１０】
また、上記楽音再生装置において、前記再生長制御手段は、前記再生部が前記再生単位楽音の再生を開始又は再開始するタイミングにおいて前記外部状態信号入力受付手段により受け付けられる外部状態信号に応じて再生長を決定する再生長決定手段、を含み、前記再生長決定手段により決定される再生長に基づき、前記再生部が前記１又は複数の再生単位楽音それぞれを再生する際の再生長を制御する、こととしてもよい。
これによれば、各再生単位楽音の再生を開始するタイミング又は再開始するタイミングにおいて、各再生単位楽音の再生長を決定することができる。
【００１１】
また、本発明の別の一態様にかかる楽音再生装置は、複数のトラックを備え、第１のトラックにおいて１の小節からなる第１のフレーズを繰り返し再生出力し、第２のトラックにおいて複数の小節からなる第２のフレーズを繰り返し再生出力する再生部と、外部状態を示す外部状態信号の入力を受け付ける外部状態信号入力受付手段と、前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記各小節の再生を開始又は再開始するよう前記再生部を制御する再生長制御手段と、を含むことを特徴とする。
これによれば、第１のトラックにおいて再生される小節の再生再開始タイミングと、第２のトラックにおいて再生される各小節の再生開始又は再開始タイミングと、を同期させることができる。
【００１２】
また、本発明のさらに別の一態様にかかる楽音再生装置は、複数のトラックを備え、第１のトラックにおいて１の小節からなる第１のフレーズを繰り返し再生出力し、第２のトラックにおいて複数の小節グループからなる第２のフレーズを繰り返し再生出力する再生部と、外部状態を示す外部状態信号の入力を受け付ける外部状態信号入力受付手段と、前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記各小節グループの再生を開始又は再開始するよう前記再生部を制御する再生長制御手段と、を含むことを特徴とする。
これによれば、第１のトラックにおいて再生される小節の再生再開始タイミングと、第２のトラックにおいて再生される各小節グループの再生開始又は再開始タイミングと、を同期させることができる。
【００１３】
また、本発明のさらに別の一態様にかかる楽音再生装置は、複数のトラックを備え、第１のトラックにおいて１の小節からなる第１のフレーズを繰り返し再生出力し、第２のトラックにおいて複数の小節からなる第２のフレーズを繰り返し再生出力する再生部と、外部状態を示す外部状態信号の入力を受け付ける外部状態信号入力受付手段と、前記外部状態信号入力受付手段により受け付けられる外部状態信号に応じて、前記再生部が前記第１のトラックにおいて前記小節を再生する際の再生長を制御するとともに、前記第１のトラックにおける前記小節の再生終了タイミングに応じたタイミングで、前記第２のトラックにおける前記フレーズの再生を開始又は再開始するよう前記再生部を制御する再生長制御手段と、を含むことを特徴とする。
これによれば、第１のトラックにおいて再生される小節の再生再開始タイミングと、第２のトラックにおいて再生されるフレーズの再生開始又は再開始タイミングと、を同期させることができる。
【００１４】
また、本発明にかかる楽音再生方法は、外部状態を示す外部状態信号の入力を受け付ける外部状態信号入力受付ステップと、前記外部状態信号入力受付ステップにおいて受け付けられる外部状態信号に応じて、１又は複数の再生単位楽音からなる楽音を繰り返し再生出力する再生部が前記１又は複数の再生単位楽音それぞれを再生する際の再生長を制御する再生長制御ステップと、を含むことを特徴とする。
【００１５】
また、本発明にかかるプログラムは、外部状態を示す外部状態信号の入力を受け付ける外部状態信号入力受付ステップ、及び前記外部状態信号入力受付ステップにおいて受け付けられる外部状態信号に応じて、１又は複数の再生単位楽音からなる楽音を繰り返し再生出力する再生部が前記１又は複数の再生単位楽音それぞれを再生する際の再生長を制御する再生長制御ステップ、をコンピュータに実行させるためのプログラムである。
【発明を実施するための最良の形態】
【００１６】
本発明の実施の形態１から５について、図面を参照しながら説明する。
【００１７】
［実施の形態１］
図１は、実施の形態１にかかる車両用楽音再生装置１ａのシステム構成及び機能ブロックを示す概略ブロック図である。同図に示すように、車両用楽音再生装置１ａは、再生部１０、楽音ＤＢ(DataBase)２０、外部状態信号入力受付部３０、再生長制御部４０ａ、再生パラメータ制御部５０、スピーカ６０を含んで構成される。また、再生部１０は、その内部に複数のトラック１１を含んで構成され、再生長制御部４０ａは、その内部に再生長決定部４１ａを含んで構成される。車両用楽音再生装置１ａは、図示しない車両に搭載されているものである。
【００１８】
楽音ＤＢ２０は、１の小節からなる楽音（フレーズ）データを記憶する。ここでは特に、この楽音はベースドラム音（リズム音の一種）であるとして説明する。
【００１９】
図２（ａ）には、ベースドラム音の例が示されている。同図に示すように、ベースドラム音は、１小節を１６の時間帯に区切り、各時間帯に、音のある状態（図の黒丸）と、音のない状態（図の白丸）と、のいずれかを割り当てたものである。また、さらに、１６の時間帯を４つずつまとめている。音のある状態に対応する時間帯では、後述する再生部１０により、所定長のドラム音が再生される。
【００２０】
再生部１０は、１の再生単位楽音からなるフレーズを繰り返し再生する。そして、再生の結果として得られる音声信号を、再生パラメータ制御部５０に対して出力する。なお、本実施の形態では、再生単位楽音は１小節により構成された楽音であり、後述する再生長制御部４０ａは、再生単位楽音の単位で、再生部１０による楽音の再生長を制御する。この点についての詳細は後述する。
【００２１】
図３は、本実施の形態にかかる再生単位楽音について説明するための図である。同図では横軸が時間となっており、１つの四角が１小節を表している。また、四角内の数字は、その小節に含まれる楽音の種類（ここでは、音のある状態と音のない状態の順列である。また、例えばフレーズがメロディである場合にはそのメロディである。）を示している。
【００２２】
図３に示すように、本実施の形態では、１小節が１フレーズ（繰り返し単位楽音）となっており、再生部１０は、１小節を再生単位楽音として、１小節からなるフレーズを繰り返し再生する。
【００２３】
また、再生部１０は、各トラック１１それぞれにおいて、１の再生単位楽音（小節）からなるフレーズを繰り返し再生する。なお、各トラック１１において再生されるフレーズの内容（楽音の種類）は、同一であっても異なっていてもよい。再生部１０は、各トラック１１それぞれの再生結果を合成してなる音声信号を、再生パラメータ制御部５０に対して出力する。
【００２４】
再生パラメータ制御部５０は、再生部１０から出力される音声信号について、後述する外部状態信号入力受付部３０からの外部状態信号に応じて、その再生パラメータ（音量、音調、テンポなど。）を制御した上で、スピーカ６０に出力する。なお、再生パラメータ制御部５０は、外部状態信号と再生パラメータとを予め対応付けて記憶しており、外部状態信号入力受付部３０から入力される外部状態信号と対応付けて記憶される再生パラメータを読み出し、読み出した再生パラメータにより、再生部１０から出力される音声信号の再生パラメータを制御する。具体的な例では、再生パラメータ制御部５０は、車両の速度と再生音量とを予め対応付けて記憶しており、外部状態信号入力受付部３０から入力される外部状態信号と対応付けて記憶される再生音量を読み出し、読み出した再生音量により、再生部１０から出力される音声信号の再生音量を制御する。スピーカ６０は、入力された音声信号を、当該車両用楽音再生装置１ａが搭載されている車両の内部に対して音声出力する。
【００２５】
外部状態信号入力受付部３０は、外部状態を示す外部状態信号の入力を受け付ける。ここでの外部状態とは、車両用楽音再生装置１ａ外部の状態であり、例えば当該車両用楽音再生装置１ａが搭載されている車両の状態や、該車両の走行環境の状態である。以下、詳細に説明する。
【００２６】
図示しない車両状態情報取得部は、上記車両の状態を示す車両状態情報を取得し、取得した車両状態情報に基づいて外部状態信号を生成し、外部状態信号入力受付部３０に対して出力する。具体的な例では、車両状態情報取得部は、上記車両に搭載される各種センサー（具体的には、車速センサー、エンジン回転数センサー、アクセル開度センサー、ブレーキ開度センサー、ギア・サイドブレーキセンサーなど。）と接続されており、これらのセンサーにより検知された情報を含む車両状態情報を取得し、取得した車両状態情報に基づく外部状態信号を外部状態信号入力受付部３０に出力する。
【００２７】
具体的には、車速センサーは車両の走行速度（車速）を検知する。エンジン回転数センサーはエンジンの回転数を検知する。アクセル開度センサーはアクセルの開度（踏み込み度合）を検知する。ブレーキ開度センサーはブレーキの開度（踏み込み度合）を検知する。ギア・サイドブレーキセンサーは、ギア比の現在値及びサイドブレーキの係り度合を検知する。そして、車両状態情報取得部は、以上のようにして各種センサーにより検知された情報を含む車両状態情報を取得し、取得した車両状態情報に基づく外部状態信号を外部状態信号入力受付部３０に出力する。
【００２８】
図示しない走行環境情報取得部は、上記車両の走行環境を示す走行環境情報を取得し、取得した走行環境情報に基づいて外部状態信号を生成し、外部状態信号入力受付部３０に対して出力する。具体的な例では、走行環境情報取得部はＩＴＳ（高度道路交通システム）及びＧＰＳ（全地球測位システム）に接続される。具体的には、ＩＴＳは、各種の情報（天気情報、渋滞情報、制限速度情報、路面状況情報、地域情報、時刻情報（年月日を含む）など）をセンター装置（不図示）から受信しており、走行環境情報取得部は、ＩＴＳにより受信されるこれらの情報を、走行環境情報の一部として取得する。また、ＧＰＳは、複数のＧＰＳ衛星が送信する時刻のデータを含む電波信号を受信し、受信した電波の到達時間差により各ＧＰＳ衛星からの距離の差を算出し、三角測量の原理を用いて上記車両の位置を特定しており、走行環境情報取得部は、ＧＰＳが特定した位置を示す位置情報（緯度経度情報）を、走行環境情報の他の一部として取得する。走行環境情報取得部は、こうして取得した走行環境情報に基づく外部状態信号を外部状態信号入力受付部３０に出力する。
【００２９】
外部状態信号入力受付部３０は、外部状態信号を常時再生長制御部４０ａ及び再生パラメータ制御部５０に所定間隔で出力し続ける。この場合において、外部状態に変更がない限り、外部状態信号入力受付部３０は、同じ外部状態信号を所定間隔で出力し続ける。変更があった場合には、外部状態信号入力受付部３０は、該変更に応じて変更された外部状態信号の再生長制御部４０ａ及び再生パラメータ制御部５０への出力を開始する。
【００３０】
再生長制御部４０ａは、外部状態信号入力受付部３０により受け付けられる外部状態信号に応じて、再生部１０が再生単位楽音（小節）を再生する際の再生長を制御する。すなわち、再生長制御部４０ａは、再生部１０による再生単位楽音の再生を、上記外部状態信号に応じた再生長で一旦終了させ、次の再生単位楽音の再生を開始させる。
【００３１】
具体的な例では、再生長決定部４１ａは、再生部１０が再生単位楽音の再生を開始（１回目の再生開始）又は再開始（２回目以降の再生開始）するタイミングにおいて外部状態信号入力受付部３０により受け付けられる外部状態信号に応じて再生長を決定する。
【００３２】
図４は、再生長決定部４１ａによる再生長決定のより具体的な例を示す図である。この例では、再生長決定部４１ａは、予め同図に示すようなエンジン回転数と再生長の対応グラフを記憶しており、この対応グラフと、外部状態信号により示されるエンジン回転数と、に応じて再生長を決定する。
【００３３】
なお、再生長決定部４１ａは、エンジン回転数と再生長の対応グラフだけでなく、各種の外部状態と再生長の対応グラフを記憶するようにすることが望ましい。
【００３４】
再生長制御部４０ａは、再生長決定部４１ａにより決定される再生長に基づき、再生部１０が各再生単位楽音を再生する際の再生長を制御する。
【００３５】
なお、再生長決定部４１ａは、各トラック１１について個別に、若しくは全体で１つの、再生長を決定する。そして、再生長制御部４０ａは、再生長決定部４１ａにより決定される再生長に基づき、各トラック１１それぞれにおいて再生単位楽音を再生する際の再生長を制御する。
【００３６】
図３には、再生長制御部４０ａによる再生長制御に応じた再生部１０の再生結果の例も示されている。図３では、上段に示す図が再生長制御をしない場合の再生結果を示し、下段に示す図が再生長制御を行う場合の再生結果を示している。
【００３７】
本実施の形態では、上述のように、１小節が再生単位楽音である。そこで、再生長決定部４１ａは、再生部１０が１小節の再生を開始又は再開始するタイミングにおいて、外部状態信号に応じて、これから再生される小節の再生長を決定する。そして、再生長制御部４０ａは、再生長決定部４１ａにより決定される再生長に基づき、再生部１０が各小節を再生する際の再生長を制御する。その結果、図３の下段に示されるような再生結果が得られるのである。
【００３８】
再生長制御部４０ａにより再生長を制御された楽音の具体的な例について、再度図２を参照しながら説明する。
【００３９】
図２（ａ）は、再生長を制御されていない楽音を示している。この例では、１小節がそのまま繰り返し再生される。
図２（ｂ）は、再生長が７５％に短縮された楽音を示している。この場合、１小節を構成する１６の時間帯のうち、初めの７５％分、すなわち１２時間帯分のみが繰り返し再生される。
図２（ｃ）は、再生長が５０％に短縮された楽音を示している。この場合、１小節を構成する１６の時間帯のうち、初めの５０％分、すなわち８時間帯分のみが繰り返し再生される。
図２（ｄ）は、再生長が２５％に短縮された楽音を示している。この場合、１小節を構成する１６の時間帯のうち、初めの２５％分、すなわち４時間帯分のみが繰り返し再生される。
【００４０】
以上説明したように、実施の形態１によれば、再生長決定部４１ａが外部状態信号に応じて再生長を決定し、再生長制御部４０ａが、再生長決定部４１ａにより決定される再生長に基づき、再生部１０が各小節を再生する際の再生長を制御しているので、１の再生単位楽音（小節）を繰り返し再生出力する再生部１０を用いて、車両状態などの外部状態に応じた多彩な音楽再生を実現することができる。ここでは特に、音のある状態と音のない状態の順列を様々に変更しつつ、音楽再生を実現することができる。
【００４１】
また、再生長決定部４１ａは、再生部１０が再生単位楽音の再生を開始するタイミング又は再開始するタイミングにおいて、再生単位楽音の再生長を決定することができる。
【００４２】
［実施の形態２］
実施の形態２においても、実施の形態１にかかる車両用楽音再生装置１ａを用いる。ただし、実施の形態２と実施の形態１とは、フレーズと小節の関係が異なる。
【００４３】
楽音ＤＢ２０は、複数の小節（ここでは４小節とする。）からなる楽音（フレーズ）を記憶する。また、本実施の形態では、再生単位楽音は１小節により構成された楽音である。
【００４４】
図５は、本実施の形態にかかる再生単位楽音について説明するための図である。同図では、図３と同様、横軸が時間となっており、１つの四角が１小節を表している。また、四角内の数字は、その小節に含まれる楽音の種類（音のある状態と音のない状態の順列やメロディなど）を示している。
【００４５】
図５に示すように、本実施の形態では、複数小節（４小節）が１フレーズ（繰り返し単位楽音）となっており、再生部１０は、１小節を再生単位楽音として、複数小節（４小節）からなるフレーズを繰り返し再生する。また、再生部１０は、各トラック１１それぞれにおいて、複数（４つ）の一定長の再生単位楽音（小節）からなるフレーズを繰り返し再生する。
【００４６】
再生長制御部４０ａは、外部状態信号入力受付部３０により受け付けられる外部状態信号に応じて、再生部１０が複数の再生単位楽音（小節）それぞれを再生する際の再生長を制御する。
【００４７】
より具体的な例では、再生長決定部４１ａは、再生部１０が再生単位楽音の再生を開始（１回目の再生開始）又は再開始（２回目以降の再生開始）するタイミングにおいて外部状態信号入力受付部３０により受け付けられる外部状態信号に応じて再生長を決定する。そして、再生長制御部４０ａは、再生長決定部４１ａにより決定される再生長に基づき、再生部１０が各再生単位楽音を再生する際の再生長を制御する。
【００４８】
図５には、再生長制御部４０ａによる再生長制御に応じた再生部１０の再生結果の例も示されている。図５では、図３と同様、上段に示す図が再生長制御をしない場合の再生結果を示し、下段に示す図が再生長制御を行う場合の再生結果を示している。
【００４９】
本実施の形態では、上述のように、１小節が再生単位楽音である。そこで、再生長決定部４１ａは、再生部１０が１小節の再生を開始又は再開始するタイミングにおいて、外部状態信号に応じて、これから再生される小節の再生長を決定する。そして、再生長制御部４０ａは、再生長決定部４１ａにより決定される再生長に基づき、再生部１０が各小節を再生する際の再生長を制御する。その結果、図５の下段に示されるような再生結果が得られるのである。
【００５０】
以上説明したように、実施の形態２によれば、複数の一定長の再生単位楽音（小節）を繰り返し再生出力する再生部１０を用いて、車両状態などの外部状態に応じた多彩な音楽再生を実現することができる。
【００５１】
［実施の形態３］
実施の形態３においても、実施の形態１にかかる車両用楽音再生装置１ａを用いる。ただし、実施の形態３と実施の形態１及び実施の形態２とは、フレーズと小節の関係が異なる。
【００５２】
楽音ＤＢ２０は、複数の小節（ここでは４小節とする。）からなる楽音（フレーズ）を記憶する。この点は実施の形態２と同様である。本実施の形態では、再生単位楽音は複数小節（フレーズを構成する小節の数よりも少ない数。ここでは２小節とする。）からなる小節グループにより構成された楽音である。
【００５３】
図６は、本実施の形態にかかる再生単位楽音について説明するための図である。同図では、図３及び図５と同様、横軸が時間となっており、１つの四角が１小節を表している。また、四角内の数字は、その小節に含まれる楽音の種類（音のある状態と音のない状態の順列やメロディなど）を示している。
【００５４】
図６に示すように、本実施の形態では、複数小節（４小節）が１フレーズ（繰り返し単位楽音）となっており、再生部１０は、２小節からなる小節グループを再生単位楽音として、複数小節（４小節）からなるフレーズを繰り返し再生する。また、再生部１０は、各トラック１１それぞれにおいて、複数（２つ）の一定長の再生単位楽音（小節グループ）からなるフレーズを繰り返し再生する。
【００５５】
再生長制御部４０ａは、外部状態信号入力受付部３０により受け付けられる外部状態信号に応じて、再生部１０が複数の再生単位楽音（小節グループ）それぞれを再生する際の再生長を制御する。
【００５６】
より具体的な例では、再生長決定部４１ａは、再生部１０が再生単位楽音の再生を開始（１回目の再生開始）又は再開始（２回目以降の再生開始）するタイミングにおいて外部状態信号入力受付部３０により受け付けられる外部状態信号に応じて再生長を決定する。そして、再生長制御部４０ａは、再生長決定部４１ａにより決定される再生長に基づき、再生部１０が各再生単位楽音を再生する際の再生長を制御する。
【００５７】
図６には、再生長制御部４０ａによる再生長制御に応じた再生部１０の再生結果の例も示されている。図６では、図３及び図５と同様、上段に示す図が再生長制御をしない場合の再生結果を示し、下段に示す図が再生長制御を行う場合の再生結果を示している。
【００５８】
本実施の形態では、上述のように、２小節からなる１小節グループが再生単位楽音である。そこで、再生長決定部４１ａは、再生部１０が１小節グループの再生を開始又は再開始するタイミングにおいて、外部状態信号に応じて、これから再生される小節グループの再生長を決定する。そして、再生長制御部４０ａは、再生長決定部４１ａにより決定される再生長に基づき、再生部１０が各小節グループを再生する際の再生長を制御する。その結果、図６の下段に示されるような再生結果が得られるのである。ここでは、小節グループごとに再生長を制御するため、図６の下段において、例えば小節１と小節２により構成される小節グループは、その再生長が縮められているが、実質的には小節２のみが縮められている。
【００５９】
以上説明したように、車両用楽音再生装置１ａによれば、複数の一定長の再生単位楽音（小節グループ）を繰り返し再生出力する再生部１０を用いて、車両状態などの外部状態に応じた多彩な音楽再生を実現することができる。
【００６０】
［実施の形態４］
実施の形態４においても、実施の形態１にかかる車両用楽音再生装置１ａを用いる。ただし、実施の形態４と実施の形態１乃至実施の形態３とは、フレーズと小節の関係が異なる。
【００６１】
楽音ＤＢ２０は、複数の小節（ここでは４小節とする。）からなる楽音（フレーズ）を記憶する。この点は実施の形態２及び実施の形態３と同様である。本実施の形態では、再生単位楽音はフレーズである。
【００６２】
図７は、本実施の形態にかかる再生単位楽音について説明するための図である。同図では、図３及び図５乃至図６と同様、横軸が時間となっており、１つの四角が１小節を表している。また、四角内の数字は、その小節に含まれる楽音の種類（音のある状態と音のない状態の順列やメロディなど）を示している。
【００６３】
図７に示すように、本実施の形態では、複数小節（４小節）が１フレーズ（繰り返し単位楽音）となっており、再生部１０は、１フレーズを再生単位楽音として、複数小節（４小節）からなるフレーズを繰り返し再生する。また、再生部１０は、各トラック１１それぞれにおいて、１の一定長の再生単位楽音（フレーズ）からなる楽音を繰り返し再生する。
【００６４】
再生長制御部４０ａは、外部状態信号入力受付部３０により受け付けられる外部状態信号に応じて、再生部１０が再生単位楽音（フレーズ）を再生する際の再生長を制御する。
【００６５】
より具体的な例では、再生長決定部４１ａは、再生部１０が再生単位楽音の再生を開始（１回目の再生開始）又は再開始（２回目以降の再生開始）するタイミングにおいて外部状態信号入力受付部３０により受け付けられる外部状態信号に応じて再生長を決定する。そして、再生長制御部４０ａは、再生長決定部４１ａにより決定される再生長に基づき、再生部１０が各再生単位楽音を再生する際の再生長を制御する。
【００６６】
図７には、再生長制御部４０ａによる再生長制御に応じた再生部１０の再生結果の例も示されている。図７では、図３及び図５乃至図６と同様、上段に示す図が再生長制御をしない場合の再生結果を示し、下段に示す図が再生長制御を行う場合の再生結果を示している。
【００６７】
本実施の形態では、上述のように、１フレーズが再生単位楽音である。そこで、再生長決定部４１ａは、再生部１０が１フレーズの再生を開始又は再開始するタイミングにおいて、外部状態信号に応じて、これから再生されるフレーズの再生長を決定する。そして、再生長制御部４０ａは、再生長決定部４１ａにより決定される再生長に基づき、再生部１０が各フレーズを再生する際の再生長を制御する。その結果、図７の下段に示されるような再生結果が得られるのである。
【００６８】
以上説明したように、車両用楽音再生装置１ａによれば、複数の一定長の再生単位楽音（フレーズ）を繰り返し再生出力する再生部１０を用いて、車両状態などの外部状態に応じた多彩な音楽再生を実現することができる。
【００６９】
［実施の形態５］
図８は、実施の形態５にかかる車両用楽音再生装置１ｂのシステム構成及び機能ブロックを示す概略ブロック図である。同図に示すように、車両用楽音再生装置１ｂは、車両用楽音再生装置１ａにおいて、再生長制御部４０ａに代えて再生長制御部４０ｂを、再生長決定部４１ａに代えて再生長決定部４１ｂを、それぞれ含み、再生長制御部４０ｂはその内部に、さらに再生終了タイミング取得部４２及び再生打切部４３を含んだものとなっている。車両用楽音再生装置１ｂも、図示しない車両に搭載されているものである。
【００７０】
本実施の形態では、再生部１０は、トラック１１−１において１小節を再生単位楽音とし、１小節からなるフレーズ（例えば図３に示すフレーズ）を繰り返し再生する。また、他のトラック１１において、１小節、１小節グループ、又は１フレーズのいずれかを再生単位楽音とし、複数小節からなるフレーズ（例えば図５乃至図７に示すフレーズ）を繰り返し再生する。
【００７１】
再生長制御部４０ｂは、外部状態信号入力受付部３０により受け付けられる外部状態信号に応じて、再生部１０が、トラック１１−１において再生単位楽音を再生する際の再生長を制御する。
【００７２】
より具体的には、再生長決定部４１ｂは、再生部１０が、トラック１１−１において再生単位楽音の再生を開始（１回目の再生開始）又は再開始（２回目以降の再生開始）するタイミングにおいて外部状態信号入力受付部３０により受け付けられる外部状態信号に応じて再生長を決定する。そして、再生長制御部４０ｂは、再生長決定部４１ｂにより決定される再生長に基づき、再生部１０が、トラック１１−１において再生単位楽音を再生する際の再生長を制御する。この結果、トラック１１−１における再生結果は、図３下段に示したようなものとなる。
【００７３】
再生長制御部４０ｂは、トラック１１−１における再生単位楽音の再生終了タイミングに応じたタイミングで、他のトラック１１における再生単位楽音の再生を開始又は再開始するよう、再生部１０を制御する。以下、具体的な例を挙げて説明する。
【００７４】
図９は、再生部１０が、他のトラック１１（図９乃至図１１ではトラック１１−ｎと記載する。）において、１小節を１再生単位楽音とし、４小節からなるフレーズ（図５に示すフレーズ）を繰り返し再生する場合について行う上記処理を説明するための図である。なお、トラック１１−１にて再生されるフレーズと他のトラック１１にて再生されるフレーズの１小節の再生長は、再生長制御されていない場合には、同じであるものとする。
【００７５】
再生長制御部４０ｂの外部状態信号に応じた制御により、トラック１１−１における再生単位楽音の終了タイミングが決定される。再生終了タイミング取得部４２は、この終了タイミングを取得して、そのタイミングを示す内部信号（再生終了タイミング信号）を生成し、再生打切部４３に対し出力する。ここでは、再生終了タイミング取得部４２は、トラック１１−１における再生単位楽音の終了タイミングごと（１小節ごと）に再生終了タイミング信号を出力する。なお、再生終了タイミング取得部４２は、再生単位楽音の終了タイミングを再生部１０から取得してもよいし、再生長決定部４１ｂにより決定された再生長に基づいて取得してもよい。
【００７６】
再生打切部４３は、再生終了タイミング信号の入力を受け付けると、該再生終了タイミング信号により示されるタイミングで、他のトラック１１において再生中の再生単位楽音（ここでは１小節）の再生を打ち切らせる。そして、再生部１０に、次の再生単位楽音の再生を開始又は再開始させる。
【００７７】
図１０は、再生部１０が、他のトラック１１において、２小節からなる小節グループを１再生単位楽音とし、４小節からなるフレーズ（図６に示すフレーズ）を繰り返し再生する場合について行う上記処理を説明するための図である。
【００７８】
再生終了タイミング取得部４２が再生打切部４３に対して再生終了タイミング信号を出力する点は上記と同様である。ただし、ここでは、再生終了タイミング取得部４２は、他のトラック１１にて再生中の再生単位楽音の終了タイミングごと（１小節グループである２小節ごと）に再生終了タイミング信号を出力する。再生打切部４３は、再生終了タイミング信号の入力を受け付けると、該再生終了タイミング信号により示されるタイミングで、他のトラック１１において再生中の再生単位楽音（ここでは１小節グループ）の再生を打ち切らせる。そして、再生部１０に、次の再生単位楽音の再生を開始又は再開始させる。
【００７９】
図１１は、再生部１０が、他のトラック１１において、４小節からなるフレーズを１再生単位楽音とし、該フレーズ（図７に示すフレーズ）を繰り返し再生する場合について行う上記処理を説明するための図である。
【００８０】
再生終了タイミング取得部４２が再生打切部４３に対して再生終了タイミング信号を出力する点は上記と同様である。ただし、ここでは、再生終了タイミング取得部４２は、他のトラック１１にて再生中の再生単位楽音の終了タイミングごと（１フレーズである４小節ごと）に再生終了タイミング信号を出力する。再生打切部４３は、再生終了タイミング信号の入力を受け付けると、該再生終了タイミング信号により示されるタイミングで、他のトラック１１において再生中の再生単位楽音（ここでは１フレーズ）の再生を打ち切らせる。そして、再生部１０に、次の再生単位楽音の再生を開始又は再開始させる。
【００８１】
以上説明したように、実施の形態５によれば、トラック１１−１において再生される再生単位楽音（＝１小節）の再生再開始タイミングと、他のトラック１１において再生される再生単位楽音（＝１小節、＝１小節グループ、又は＝１フレーズ。）の再生再開始タイミングと、を同期させることができる。なお、トラック１１−１にて再生されるフレーズは、再生単位楽音を１小節とするものに限られるものではなく、２小節以上であってもよい。
【００８２】
なお、本発明は上記各実施形態に限定されるものではない。例えば、上記実施の形態では車両用楽音再生装置に本発明を適用した場合について説明したが、楽音再生装置であればどのようなものにでも本発明を適用することができる。例えば、ポータブルオーディオプレイヤー（携帯用楽音再生装置）に本発明を適用することもでき、この場合には、歩数計により計測される歩数や、車椅子に乗車中の人が利用する場合には車椅子の車輪の回転数、などに基づいて外部状態信号を取得することが好適である。
【００８３】
また、図２では、再生長を、元の７５％、５０％、２５％に短縮する例について説明したが、これらは４ビートの楽音において特に有効な値であり、例えば８ビートや１６ビートの楽音など他のビート数を用いる場合、ビート数に応じた割合の短縮を行うようにすることが望ましい。
【００８４】
また、上記各実施形態では、再生単位楽音を１小節、２小節（１小節グループ）、又は４小節（１フレーズ）とした場合について説明したが、再生単位楽音はこれらに限られるものではなく、様々な長さの再生単位楽音を用いることができる。さらに、上記各実施形態では１フレーズが１小節又は４小節により構成される例について説明したが、本発明はこの例に限られるものではなく、１フレーズが２小節、８小節、１６小節、３２小節により構成される場合など、種々の場合に適用可能であるのは勿論である。
【００８５】
また、上記各実施形態のうち、いずれを用いるかについてはユーザの決定によるとすることが望ましい。このために、車両用楽音再生装置は、ユーザによる入力を受け付け、受け付けた決定結果に基づいて、いずれかの実施形態を用いるように当該車両用楽音再生装置を制御することが望ましい。
【００８６】
また、車両用楽音再生装置１ａ又は車両用楽音再生装置１ｂの機能を実現するためのプログラムをコンピュータ読み取り可能な記録媒体に記録して、この記録媒体に記録されたプログラムをコンピュータシステムに読み込ませ、実行することにより、上記各処理を行ってもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【００８７】
【図１】本発明の実施の形態１から４にかかる楽音再生装置のシステム構成及び機能ブロックを示す概略ブロック図である。
【図２】本発明の実施の形態にかかる再生長制御部により再生長を制御されていないベースドラム音（ａ）と、再生長制御部により再生長を制御されたベースドラム音（ｂ）（ｃ）（ｄ）と、を示す図である。
【図３】本発明の実施の形態１にかかる再生単位楽音について説明するための図である。
【図４】本発明の実施の形態１にかかる再生長決定部による再生長決定の具体的な例を示す図である。
【図５】本発明の実施の形態２にかかる再生単位楽音について説明するための図である。
【図６】本発明の実施の形態３にかかる再生単位楽音について説明するための図である。
【図７】本発明の実施の形態４にかかる再生単位楽音について説明するための図である。
【図８】本発明の実施の形態５にかかる楽音再生装置のシステム構成及び機能ブロックを示す概略ブロック図である。
【図９】本発明の実施の形態５にかかる再生部が行う、あるトラックにおける再生単位楽音の再生終了タイミングに応じたタイミングで、他のトラックにおける再生単位楽音の再生を再開始する処理を説明するための図である。
【図１０】本発明の実施の形態５にかかる再生部が行う、あるトラックにおける再生単位楽音の再生終了タイミングに応じたタイミングで、他のトラックにおける再生単位楽音の再生を再開始する処理を説明するための図である。
【図１１】本発明の実施の形態５にかかる再生部が行う、あるトラックにおける再生単位楽音の再生終了タイミングに応じたタイミングで、他のトラックにおける再生単位楽音の再生を再開始する処理を説明するための図である。
【符号の説明】
【００８８】
１ａ，１ｂ  楽音再生装置、１０ａ，１０ｂ  再生部、１１  トラック、２０  楽音ＤＢ、３０  外部状態信号入力受付部、４０ａ，４０ｂ  再生長制御部、４１ａ，４１ｂ  再生長決定部、４２  再生終了タイミング取得部、４３  再生打切部、５０  再生パラメータ制御部、６０  スピーカ。
【図１】
2008145759.tif 000003
【図２】
2008145759.tif 000004
【図３】
2008145759.tif 000005
【図４】
2008145759.tif 000006
【図５】
2008145759.tif 000007
【図６】
2008145759.tif 000008
【図７】
2008145759.tif 000009
【図８】
2008145759.tif 000010
【図９】
2008145759.tif 000011
【図１０】
2008145759.tif 000012
【図１１】
2008145759.tif 000013